(57)【要約】【課題】  予めボールを係留させた個別の管毎に選別して高温水を流すことにより、渦巻き管内の洗浄効果を高めることのできる洗浄装置及び洗浄方法を提供する。【解決手段】  複数段重ねた渦巻き管の巻き始め端を第一のボール収納装置に、巻き終わり端を第二のボール収納装置にそれぞれ接続して形成された高温水通路と、平板を渦巻き状に形成した仕切板の壁間が気密的に形成された渦巻き通路と、この渦巻き通路に渦巻き管が挿入され、渦巻き通路に低温水が通過するとともに、高温水通路内に高温水が通過する渦巻き型温排水熱交換器であり、第一のボール収納装置及び第二のボール収納装置に、渦巻管の本数分に対応した数の洗浄用ボールをそれぞれ収納し、流路切り替え手段を用いて渦巻き管の任意の１本を選択し、この管内に洗浄用ボールを往復通過させ、他の渦巻き管に対しても順次１本ずつ同様の往復通過を行わせることを特徴とする。【選択図】図１
2006162120.tif 000002
【特許請求の範囲】
【請求項１】
複数段重ねた円形断面を有した渦巻き状の管を有し、各渦巻き状の管の巻き始め端を第一のボール収納装置に、巻き終わり端を第二のボール収納装置にそれぞれ接続して形成された高温水通路と、平板を渦巻き状に形成した仕切板が下板と上板との間に設置され、この仕切板の壁間が気密的に形成された渦巻き通路と、この渦巻き通路に前記渦巻き状の管が配置され、前記下板と前記上板と胴体とで形成された容器部に連通した導入管と排出管とを備え、前記容器部内に低温水が導入され、前記渦巻き通路を前記低温水が通過するとともに、前記高温水通路内に高温水が通過する渦巻き型温排水熱交換器であり、前記第一のボール収納装置または前記第二のボール収納装置に、前記渦巻き管の本数分に対応した数の洗浄用ボールを収納し、前記第一及び第二のボール収納装置は前記ボールを所定範囲内に浮遊させるボール係留部を備え、前記ボールがそれぞれ前記渦巻き管内を通過できるとともに、任意の前記渦巻き管を選択してこの管内に前記ボールを通過させる流路切り替え手段を備えたことを特徴とする渦巻き型温排水熱交換器の洗浄装置。
【請求項２】
請求項１において、前記流路切り替え手段は、複数の分流窓と一つの選択窓とが形成された回転子と、この回転子が気密回転自在に嵌合された箱部と、この箱部に気密的に結合され、かつ複数の仕切り凹部を有したボール収納部と、前記箱部に連通した導入・排出管とを備え、前記仕切り凹部の数は前記分流窓及び前記渦巻き管の数に対応し、前記分流窓と前記仕切り凹部とが選択的に連通可能であり、前記ボールを前記仕切り凹部に設置したストッパで係留し、前記渦巻き管が前記ボール収納部に接続されたことを特徴とする渦巻き型温水熱交換器の洗浄装置。
【請求項３】
前記流路切り替え手段は、高温水流入部に接続された第一の三方切り替え弁と、高温水流出部に接続された第二の三方切り替え弁と、前記第一のボール収納装置と前記渦巻き管の巻き始め端との間に接続した第一の二方切り替え弁と、前記第二のボール収納装置と前記渦巻き管の巻き終わり端との間に接続した第二の二方切り替え弁とを備えたことを特徴とする渦巻き型温水熱交換器の洗浄装置。
【請求項４】
請求項１記載の渦巻き型排水熱交換器の洗浄装置を使用して、前記第一のボール収納装置に前記高温水を導入し、前記第二のボール収納装置から排出する第一のパターンと、前記第二のボール収納装置に前記高温水を導入し、前記第一のボール収納装置から排出する第二のパターンとを設定しておき、前記流路切り替え手段により前記渦巻き管の任意の１本を選択し、この管内に前記ボールを通過させて前記両パターンを一定時間毎に切り替え、前記渦巻き管内に前記ボールを往復通過させ、他の渦巻き管に対しても順次１本ずつ同様の往復通過を行わせることを特徴とする渦巻き型温排水熱交換器の洗浄方法。
【発明の詳細な説明】
【技術分野】
【０００１】
本発明は、浴場等から排出された水の熱エネルギーを有効利用する温排水熱交換器に係わり、渦巻き型温排水熱交換器における渦巻き管内の洗浄に好適な、ボールによる洗浄装置及び洗浄方法に関するものである。
【背景技術】
【０００２】
宿泊施設や集合住宅の浴室，厨房，洗面所等から出される生活排水，温泉プールや浴場，サウナ風呂等から出された温排水の熱を回収し、これを給湯のための熱源として利用すべく、熱交換器を含む種々の加熱システムがある。例えば温泉を利用した浴場においては、泉源の泉水温度が低い場合にボイラーを介して加熱した後、これを浴槽に流入させる方式が採用されている。浴槽内の温水は使用頻度に応じて、適宜これを排水してきれいな新しい温水に交換、もしくは補充する必要がある。この場合、温水をそのまま排水しないで熱交換器の高温側を通過させ、保有している熱エネルギーを有効利用し、低温側を通過する前記低温の泉水を加温した後、排水するようにしている。
【０００３】
熱交換器には、套管式とプレート式とがあり、套管式は構造が複雑ではあるが洗浄は容易な利点がある反面、高価で大型化となる欠点がある。一方プレート式は構造が簡単で安価な利点を有するが、洗浄する際には運転を停止し、熱交換器を分解して伝熱板の洗浄を行い、再度組み立て作業する必要がある。
【０００４】
これらの問題点を解決する構造の一例として、“渦巻き型温排水熱交換器”がある。この構造は、複数段重ねた円形断面を有した渦巻き状の管の巻き始め端を第一の連通管に、巻き終わり端を第二の連通管にそれぞれ接続して形成された高温水通路と、平板を渦巻き状に形成した仕切板が下板と上板との間に設置され、この仕切板の壁間が気密的に形成された渦巻き通路と、この渦巻き通路に前記渦巻き状の管が挿入され、前記下板と前記上板と管状の胴体とで形成された容器部に連通した導入管と排出管とを備え、前記容器部内に低温水が導入され、前記渦巻き通路を前記低温水が通過するとともに、前記高温水通路を高温水が通過することを特徴とする、渦巻き型温排水熱交換器である。
【０００５】
本構造による洗浄方法は、渦巻き管の内径よりやや大きい外径で内部に空洞を有した柔らかい合成樹脂製のボール（いわゆるスポンジボール）を前記連通管に導入し、水圧を加えて渦巻き管の内部を通過させ、内壁に付着した堆積物を掻き落すものである。しかしながらこの方法では、前記スポンジボールが一つの管に２個入ったり、入らない管があったりと、全ての渦巻き管に均等に入って行かないことがあるので、洗浄効率が悪い問題があった。
【０００６】
また対象は異なるが、融雪システムの融雪配管洗浄方法において、融雪配管の内部にスポンジボールを通過させる方法が、特許文献１に示されている。スポンジボールの係留装置を備えたボール循環装置を、複数の融雪配管途中にそれぞれ設置し、融雪配管内にスポンジボールを通過させるものであり、その配管系統を図８に示すようである。
【０００７】
図８において、地下水は給水配管３０を通り、元弁５０からボール循環装置７０を通過して融雪配管６０を流れ、ボール循環装置７０，元弁５１を通過して排水配管４０を通り、還元井戸８０に還元される。融雪配管６０内のスポンジボールは、地下水の流れによりスケール，スライム等の堆積物を除去しながら通過し、ボール循環装置７０で再び融雪配管６０に入る。剥離した堆積物は水と一緒にボール循環装置７０を通過し、排水配管４０を通り還元井戸９０に還元される。ボール循環装置７０にはフラッパー弁を設け、スポンジボールを係留できるようにしてあり、所定の運転モードによりボール洗浄を行うようにしている。
【０００８】
【特許文献１】特開２００２−３０２９２２号公報
【発明の開示】
【発明が解決しようとする課題】
【０００９】
特許文献１に記載の方法は、スポンジボールを使用して渦巻き型温水熱交換器の渦巻き管を洗浄するものであり、洗浄方法として有効な手段であると思われる。
【００１０】
これを応用して前記渦巻き型温排水熱交換器の渦巻き管を洗浄する方法が考えられる。しかしながらこの方法では、予めスポンジボールを１本ずつの管に係留させた洗浄装置ではあるが、すべての管に均一に水が流れるため、個別の管に水圧を集中的に印加して洗浄効果を高めることができない。
【００１１】
本発明は、かかる点に鑑みてなされたもので、渦巻き管内の洗浄効果を高めることの出来る洗浄装置および洗浄方法を提供することを目的とする。
【課題を解決するための手段】
【００１２】
本発明は前記問題を解決するもので、予めボールを係留させた個別の管毎に選別して高温水を流すことにより、渦巻き管内の洗浄効果を高めることのできる洗浄装置及び洗浄方法を提供するものである。
【００１３】
本発明に係わる渦巻き型温排水熱交換器の洗浄装置は、複数段重ねた円形断面を有した渦巻き状の管の巻き始め端を第一のボール収納装置に、巻き終わり端を第二のボール収納装置にそれぞれ接続して形成された高温水通路と、平板を渦巻き状に形成した仕切板が下板と上板との間に設置され、この仕切板の壁間が気密的に形成された渦巻き通路と、この渦巻き通路に前記渦巻き状の管が挿入され、前記下板と前記上板と管状の胴体とで形成された容器部に連通した導入管と排出管とを備え、前記容器部内に低温水が導入され、前記渦巻き通路を前記低温水が通過するとともに、前記高温水通路内に高温水が通過する渦巻き型温排水熱交換器であり、前記第一のボール収納装置または前記第二のボール収納装置に、前記渦巻き管の本数分に対応した数の洗浄用ボールを収納し、前記第一及び第二のボール収納装置は前記ボールを所定範囲内に浮遊させるボール係留部を備え、前記ボールがそれぞれ前記渦巻き管内を通過できるとともに、任意の前記渦巻き管を選択してこの管内に前記ボールを通過させることもできるように、流路切り替え手段を備えたことを特徴とするものである。
【００１４】
本発明に係わる洗浄方法は、前記第一のボール収納装置に前記高温水を導入し、前記第二のボール収納装置から排出する第一のパターンと、前記第二のボール収納装置に前記高温水を導入し、前記第一のボール収納装置から排出する第二のパターンとを設定しておき、前記流路切り替え手段により前記渦巻き管の任意の１本を選択し、この管内に前記ボールを通過させて前記両パターンを一定時間毎に切り替え、前記渦巻き管内に前記ボールを往復通過させ、他の渦巻き管に対しても順次１本ずつ同様の往復通過を行わせることを特徴とするものである。
【００１５】
本発明に係わる前記流路切り替え手段の第一の実施例は、複数の分流窓と一つの選択窓とが形成された回転子と、この回転子が気密回転自在に嵌合された箱部と、この箱部に気密的に結合され、かつ複数の仕切り凹部を有したボール収納部と、前記箱部に連通した導入・排出管とを備え、前記仕切り凹部の数は前記分流窓及び前記渦巻き管の数に対応し、前記分流窓と前記仕切り凹部とが選択的に連通可能であり、前記ボールを前記仕切り凹部に設置したストッパで係留できるようにするとともに、前記渦巻き管が前記ボール収納部に接続されたことを特徴とするものである。
【００１６】
本発明に係わる前記流路切り替え手段の第二の実施例は、高温水流入部に接続された第一の三方切り替え弁と、高温水流出部に接続された第二の三方切り替え弁と、前記第一のボール収納装置と前記渦巻き管の巻き始め端との間に接続した第一の二方切り替え弁と、前記第二のボール収納装置と前記渦巻き管の巻き終わり端との間に接続した第二の二方切り替え弁とを備えたことを特徴とするものである。
【発明の効果】
【００１７】
したがって本発明によれば、全ての渦巻き管に対し、予めボール、すなわちスポンジボールを係留させた個別の渦巻き管毎に選別して高温水を流すようにしたため、ボールを高い圧力で往復通過させることができ、高い洗浄力が得られる利点を有する。
【発明を実施するための最良の形態】
【００１８】
以下、本発明の好適な実施形態について、添付図面を参照して詳細に説明する。図１から図７は、本発明に係わる渦巻き型温排水熱交換器の洗浄装置及び洗浄方法の実施例を示すものである。
【実施例】
【００１９】
図１は、本発明の実施例である渦巻き型温排水熱交換器１００の概略構成を示す図であり、図２は図１の一部水平方向に切断した詳細を示す断面平面図であり、そして図３は図２の縦断面図である。
【００２０】
これらの図において、渦巻き型温排水熱交換器１００は、複数段重ねた円径断面を有した渦巻き状の管３（３ａ−３ｅ）の巻き始め端を第一のボール収納装置５ａに、巻き終り端を第二のボール収納装置５ｂ（ボール収納装置は５で表すものとする。）にそれぞれ接続して形成された高温水通路４ａと、平板を渦巻き状に形成した仕切板４が下板１ａと上板１ｂ（両者を示す時は「１」で表示するものとする。）との間に設置された、この仕切板４の壁間が気密的に形成された渦巻き通路４ｂと、この渦巻き通路４ｂに前記渦巻き状の管３が挿入，配置され、下板１ａと上板１ｂと管状の胴体２１とで形成された容器部２０に連通した導入管と排出管１０とを備え、容器部内に低温水が導入され、渦巻き通路３を低温水が通過すると共に、高温水通路内を高温水が通過する構成を有する。
【００２１】
ボール収納装置５ａ，５ｂと渦巻き状の管３との間には、各種の、例えば後述する図４，図６に示す流路切り替え弁１７ａ，１７ｂ（以下、両者を「１７」で示すことがある。）である流路切り替え手段が設けられる。切り替え部をそれぞれａ−ｅで示す。
【００２２】
ボール収納装置５ａ，５ｂに、渦巻き管３の本数分に対応した数の洗浄用のボール（例えばスポンジボール）を収納１、これらのボールＢ，Ｂａを所定範囲内に浮遊させるボール係留部１３ａ，１３ｂ（１３ａ1−１３ａ5，１３ｂ1−１３ｂ5、両者を合わせて「１３」で表示することがある）を備え、ボールＢ，Ｂａがそれぞれ渦巻き管内を通過できるものとされる。そして、前述の流路切り替え手段は、任意の渦巻き管３を選択してこの管内にボールＢ，Ｂａを通過させることができる。
【００２３】
更に詳述する。５ａは第一のボール収納装置、５ｂは第二のボール収納装置であり、円形断面を有したチタン製の管３を渦巻き状に形成して複数段、図示では５段重ねとしており、その巻き始め端を第一のボール収納装置５ａに、巻き終わり端を第二のボール収納装置５ｂにそれぞれ接続し、高温水の導入及び排水通路を形成するとともに、スポンジボールの係留箱を形成している。これらのボール収納装置５ａ，５ｂは同じものであり、ボール収納装置５としてその構造と機能については後述する。
【００２４】
渦巻き管３の巻き始め端に接続された第一のボール収納装置５ａは高温水の第一の出入口に、巻き終わり端に接続された第二のボール収納装置５ｂは第二の出入口にそれぞれ連通している。４はステンレス鋼製の平板を渦巻き状に形成した仕切板で、その壁面間は渦巻き管３の外径よりやや広い寸法とし、渦巻き通路４ａを形成して渦巻き管３をその壁面間に配設している。
【００２５】
２ａ，２ｂはゴム等の弾性を有するパッキンで、それぞれ仕切板４の下端と上端が食い込むように、ステンレス鋼製の下板１ａとステンレス鋼製の上板１ｂとの間に設置し、仕切板４の壁間を気密的に仕切るものであり、下板１ａと上板１ｂとをボルト９とナット８により締結し、これらを一体化する。仕切板４で形成された領域は、その入口と出口との間が連続した渦巻き状の通路４ａとして形成され、この通路に低温水Ｗｃを通過させる役目を果たす。
【００２６】
１ｃ，１ｄはステンレス鋼製の管状金属胴体で、１ｃは内側胴体管を、１ｄは外側胴体管としてそれぞれ構成し、下板１ａと上板１ｂとの間はパッキン２ａ，２ｂにより気密的に設置されている。６は低温水Ｗｃを導入する低温化導入管、７は低温水Ｗｃの出口となる排出管で、それぞれ渦巻き通路４ａに連通している。
【００２７】
低温水導入管６から導入された低温水Ｗｃは渦巻き通路４ｂを通過し、低温水排水管７から外部に設置したボイラーに導かれる。高温水は連通管となる第一のボール収納装置５ａの入口である導入・排出管１０から導入され、渦巻き管３の内部を通過した後、第二のボール収納装置５ｂを経由し、その高温水の導入・排出管１０から外部に排水される。したがって、高温水と低温水Ｗｃとの間で熱交換が行われることにより低温水Ｗｃは暖められ、外部に設置したボイラーでさらに高温に熱せられる。
【００２８】
図４はボール収納装置の側断面図、図５はその左側から見た平面断面図である。
【００２９】
本実施例の特徴は、必ず１個のスポンジボールが１本の渦巻き管３を通過し、かつ通過後に同一管の出入り口に設けたボール係留部２２に係留されるとともに、複数本の渦巻き管３の任意の１本を選択し、スポンジボールを順次１本ずつ渦巻き管３に往復通過を行わせて洗浄することを行う。
【００３０】
ボール係留部１３は、例えばストッパによって形成され、１１は円筒状の箱部容器で、スポンジボールＢを係留するストッパを装着したボール収納部１２と気密的に結合されている。１０は箱部１１の室１１ａに連通した高温水の導入・排出管で、そのフランジ１０ａを介して高温水の導入・排出を行う。また、渦巻き管３の端部はボール収納部１２に接続され、したがって室１１ａに連通している。
【００３１】
ボール収納部１２の段数は渦巻き管３の重ね数に対応し、ストッパ（ボール係留部１３、以下、説明の便宜上、ストッパ１３ということがある。）も同数で、図示ではそれぞれ５個としている。Ｕ字形状のストッパ１３は金属棒を曲げて製作され、その対向幅はスポンジボールＢの外径よりやや大きくし、ストッパ１３で囲まれた領域内にスポンジボールＢ，Ｂａが浮遊できるように構成している。
【００３２】
１４は軸１５に結合された椀状の回転子で、分流窓１４ａ−１４ｅと選択窓１４ｆが形成され、その外径は箱部１１の内径に対し気密的回転自在に遊嵌している。分流窓１４ａ−１４ｅは、ボール収納部１２に形成された仕切り凹部１２ａ−１２ｅに対向し、図示ではそれぞれの窓と仕切り凹部とが５組連通した状態になっている。軸１５の左先端側は図示していないステッピングモータに結合し、所定角度分を回転できるようにしてある。
【００３３】
箱部１１の側壁には導入・排出管１０が接続され、図示では室１１ａを介して５本の渦巻き管３に連通しているため、渦巻き管３から高温水と一緒に流入してきたスポンジボールＢ，Ｂａは、それぞれの仕切り凹部１２ａ−１２ｅに設置されたストッパ１３で係留されることになる。
【００３４】
回転子１４の回転状態で図４に示す状態と、図６に示す状態が選択される。
【００３５】
図４は、複数本の渦巻き管の内、任意の１本を選択する際のボール収納装置５の側断面図であり、図６は、全渦巻き管を選択する際のボール収納装置５の側断面図を示す。
【００３６】
図６の状態から回転子１４を１８０度回転させると、図４で示す状態になり、選択窓１４ｆは仕切り凹部１２ｃに連通し、その他の仕切り凹部１２ａ，１２ｂ，１２ｄ，１２ｅは、室１１ａから遮断され、したがって導入・排出管１０は渦巻き管３ｃのみと連通する。同様に回転子１４を所定角度回転させることにより、導入・排出管１０と任意の渦巻き管３の１本のみとを選択して連通させることができる。
【００３７】
洗浄方法について以下説明する。
【００３８】
第一のボール収納装置５ａに高温水を導入し、渦巻き管３を通過した後に第二のボール収納装置５ｂから排出する第一のパターンと、第二のボール収納装置５ｂから高温水を導入して渦巻き管３を通過した後に、第一のボール収納装置５ａから排出する第二のパターンとを設定しておく。第一のパターンで運転したとき、渦巻き管３内を通過したスポンジボールＢ，Ｂａは第二のボール収納装置５ｂのストッパ１３で係留され、第二のパターン運転では、第一のボール収納装置５ａのストッパ１３で係留される。
【００３９】
図４の状態においては、渦巻き管３ｃのみへ高温水が送出されるが、その圧力は高温水導入・排出管１０に流入する高温水の圧力とほぼ同じである。図２においては、それぞれ１本の渦巻き管３へ送出される圧力が分散して減圧するのに対し、特定の１本の渦巻き管３ｃには、これより高い導入圧力が得られることになる。そして切り替え弁を用い、前記両パターンを一定時間毎に切り替え、渦巻き管３ｃ内にスポンジボールＢを往復通過させる。したがってスポンジボールＢの往復通過によって渦巻き管３の内壁に付着したスケール，スライム等の堆積物は掻き落され、高温水導入・排出管１０を介して高温水と一緒に排出される。
【００４０】
回転子１４を所定角度回転させると、導入・排出管１０と別の１本の渦巻き管３とが連通するので、順次前記と同様にスポンジボールＢを渦巻き管３内に往復通過させることにより、渦巻き管３を洗浄することができる。したがってこの洗浄方法によれば、任意の渦巻き管３を１本ずつ高い圧力でスポンジボールＢが往復通過するため、洗浄効果を高められる利点がある。
【００４１】
図１は１つの例における洗浄方法を示す配管系統図であり、５本の渦巻き管３ａ〜３ｅの内、特定の管１本を選択して洗浄する状態を示す。この例では、流路切り替え手段に二方向切り替え電磁弁１７ａ，１７ｂを採用した例として示す。
【００４２】
１６ａは入力弁、１６ｂは出力弁で、それぞれ高温水の流入出開閉及び流入出方向を三方向に切り替え制御できる電磁弁である。
【００４３】
図１は渦巻き管３ｃのみを洗浄する場合を示しており、入力弁１６ａの配管１８ｂ側を閉弁し、配管１８ａを開弁するとともに、出力弁１６ｂの配管１８ｃ側を閉弁し、配管１８ｄを開弁した状態である。
【００４４】
二方切り替え電磁弁１７ａと１７ｂは、渦巻き管３ｃに連通している部分のみ開弁しており、入力弁１６ａから流入した高温水は、配管１８ａを通過して第二のボール収納装置５ｂに流入する。このため、係留されていたスポンジボールＢは、渦巻き管３ｃのみを通過して第一のボール収納装置５ａに送られ、Ｂａで示すように係留され、熱交換された高温水は導入・排出管１０から配管１８ｄを通過し、出力弁１６ｂから外部に排出される。
【００４５】
入力弁１６ａの配管１８ａ側を閉弁、配管１８ｂを開弁するとともに、出力弁１６ｂの配管１８ｄ側を閉弁、配管１８ｃを開弁した状態にすれば、入力弁１６ａから流入した高温水は、配管１８ｂを介して配管１８ｄを通過し、第一のボール収納装置５ａに流入する。このため、係留されていたスポンジボールＢは、渦巻き管３ｃを通過して第二のボール収納装置５ｂに送られる。スポンジボールＢはここで係留され、熱交換された高温水は導入・排出管１０から配管１８ａ，１８ｃを通過し、出力弁１６ｂから外部に排出される。
【００４６】
したがって入力弁１６ａ，出力弁１６ｂ，二方切り替え電磁弁１７ａ，二方切り替え電磁弁１７ｂを適切に開閉制御することにより、１本ずつ任意の渦巻き管３にスポンジボールＢが高い圧力で往復通過するため、高い洗浄力が得られることになる。
【００４７】
なお、スポンジボールＢは独立気泡を含む合成樹脂に限定するものではなく、比重が１前後の独立気泡を含むセラミックや天然ゴム等の材質でもよい。また、その直径は渦巻き管３の内径より僅かに小さくして管内通過時の抵抗を下げ、高温水の流入圧力が低い場合に洗浄しやすいようにしてもよい。さらには、外径部に比較的大きな凹凸を有した多面体や球体も、本実施例のボールと見なすことができる。
【００４８】
図７は配管の接続を変えた場合の配管系統図を示し、図６で示した５本の渦巻き管３ａ〜３ｅに高温水が流入できる状態に相当する。
【００４９】
１７ａは第一のボール収納装置５ａ側に、１７ｂは第二のボール収納装置５ｂ側に、それぞれ一方が接続された二方切り替え電磁弁で、他方は渦巻き管３の巻き始め端及び巻き終わり端にそれぞれ接続されている。二方切り替え電磁弁１７ａと二方切り替え電磁弁１７ｂは、５本の渦巻き管３ａ〜３ｅの巻き始め端，巻き終わり端にそれぞれ対応して複数設置されている。１８ａ〜１８ｄは配管である。
【００５０】
図７の状態では、全ての二方切り替え電磁弁１７ａと二方切り替え電磁弁１７ｂとが開弁しており、入力弁１６ａから流入した高温水は、配管１８ｂから配管１８ｄを介して第一のボール収納装置５ａに送られ、ここに係留されていたスポンジボールＢとともに、渦巻き管３を通過して第二のボール収納装置５ｂに送られる。ここでスポンジボールＢは係留され、熱交換された高温水は導入・排出管１０から配管１８ａと１８ｃとを通過し、出力弁１６ｂから外部に排出される。
【００５１】
入力弁１６ａの配管１８ａ側を開弁、配管１８ｂ側を閉弁すると同時に、出力弁１６ｂの配管１８ｃを閉弁、配管１８ｄ側を開弁すれば、入力弁１６ａから流入した高温水を第二のボール収納装置５ｂに通過させ、スポンジボールＢを第一のボール収納装置５ａに係留し、熱交換された高温水を配管１８ｄから出力弁１６ｂを介して排出することができる。したがって入力弁１６ａと出力弁１６ｂを開閉制御することにより、渦巻き管３内の高温水をスポンジボールＢとともに往復通過させることができる。この際の往復通過によって渦巻き管３内の洗浄は行われるものの、先に示した例の洗浄方法よりは洗浄効率は劣る。
【図面の簡単な説明】
【００５２】
【図１】本発明の実施例の概要構成を示す、任意の渦巻き管を選択する際の、ボール収納装置の実施例を示す配管系統図。
【図２】本実施例によるボール収納装置を含む渦巻き型熱交換器の一部断面平面図。
【図３】図２の側断面図。
【図４】任意の渦巻き管を選択する際の、ボール収納装置の実施例側断面図。
【図５】図４の左側から見た平面断面図。
【図６】全ての渦巻き管を選択する際の、ボール収納装置の実施例側断面図。
【図７】ボール収納装置の実施例を示す一つの配管系統図。
【図８】融雪システムにおけるボール洗浄方法を示す従来例としての配管系統図。
【符号の説明】
【００５３】
１ａ…下板、１ｂ…上板、１ｃ…内側胴体管、１ｄ…外側胴体管、２ａ…下側パッキン、２ｂ…上側パッキン、３…渦巻き管、４…仕切板、４ａ…高温水通路、４ｂ…渦巻き通路、５ａ…第一のボール収納装置、５ｂ…第二のボール収納装置、６…低温水導入管、７…低温水排出管、１０…高温水導入・排出管、１１…箱部（容器）、１２…ボール収納部、１３…ストッパ、１４…回転子、２０…容器部、２１…胴体、１００…渦巻き型温排水熱交換器、Ｗｃ…低温水、Ｂ，Ｂａ…スポンジボール。
【図１】
2006162120.tif 000003
【図２】
2006162120.tif 000004
【図３】
2006162120.tif 000005
【図４】
2006162120.tif 000006
【図５】
2006162120.tif 000007
【図６】
2006162120.tif 000008
【図７】
2006162120.tif 000009
【図８】
2006162120.tif 000010